(57)【特許請求の範囲】
【請求項１】
フロアコンベアに配設された搬送台車で車体を搬送しながらバンパーを組み付ける車体組立ラインにおけるバンパーの組み付け方法であって、
前記搬送台車に配設された昇降手段に前記車体を載置して、当該昇降手段により当該車体を異なる複数段の高さに昇降させてそれぞれの段で保持した状態で前記バンパーを当該車体に締結し、
前記車体のエンジンルーム内部品の組み付け工程、およびトランクまたはテールゲート廻りの部品組み付け工程よりも下流でバンパーを組み付けることを特徴とする車体組立ラインにおけるバンパーの組み付け方法。
【請求項２】
前記組立ラインにおけるタイヤ組み付け工程よりも上流でバンパーを組み付けることを特徴とする請求項１に記載の車体組立ラインにおけるバンパーの組み付け方法。
【請求項３】
前記タイヤ組み付け工程は、液注入工程の直前に行うことを特徴とする請求項２に記載の車体組立ラインにおけるバンパーの組み付け方法。
【請求項４】
前記昇降手段により前記車体を中段の高さに保持した状態で前記バンパーの前面部または後面部に形成された締結箇所を当該車体に締結する工程と、
前記昇降手段により前記車体を上段の高さに保持した状態で前記バンパーの下面部に形成された締結箇所を当該車体に締結する工程と、
前記昇降手段により前記車体を下段の高さに保持した状態で前記バンパーの上面部に形成された締結箇所を当該車体に締結する工程と、
を含むことを特徴とする請求項１から請求項３のいずれか１項に記載の車体組立ラインにおけるバンパーの組み付け方法。
【請求項５】
フロアコンベアに配設された搬送台車で車体を搬送しながら複数の部品を組み付けて車体を組み立てる車体組立ラインであって、
前記搬送台車に配設され前記車体を載置して所定の高さで支持することが可能な昇降手段と、
前記昇降手段により前記車体を異なる複数段の高さに昇降させてそれぞれの段で保持した状態でバンパーを当該車体に締結するバンパーの組み付け工程領域と、を有し、
前記バンパーの組み付け工程領域は、前記車体のエンジンルーム内部品の組み付け工程領域、およびトランクまたはテールゲート廻りの部品組み付け工程領域よりも下流に配設されていることを特徴とする車体組立ライン。
【請求項６】
前記バンパーの組み付け工程領域は、タイヤ組み付け工程領域よりも上流に配設されていることを特徴とする請求項５に記載の車体組立ライン。
【発明の詳細な説明】
【技術分野】
【０００１】
本発明は、車体組立ライン、および車体組立ラインにおけるバンパーの組み付け方法に係り、特に、搬送台車に配設された昇降手段により車体を所定の高さに昇降して組み付ける車体組立ライン、および車体組立ラインにおけるバンパーの組み付け方法に関する。
【背景技術】
【０００２】
一般に、車体組立ライン１００′は、図５に示すように、車体Ｗ（図６参照）に対する部品の組み付け、または車体Ｗに組み付けた部品を集約したライン構成となっており、複数のゾーンＺ１〜Ｚ５に区分することができ、配線、燃料配管等を組み付ける伝達通線ゾーンＺ１、インストルメントパネル、ルーフライニング等の内装部品を組み付けるインテリアゾーンＺ２（Ｚ２１〜２２）、サスペンション、タイヤ等の下廻り部品を組み付ける下廻りゾーンＺ３、ラジエター、ウォッシャータンク等のエンジンルーム内の部品或いは、テールライト等のテールゲートまたはトランク廻りの部品を組み付けるエクステリアゾーンＺ４、車体Ｗに組み付けられた部品の検査を行う複合検査ゾーンＺ５の順で構成される。
【０００３】
車体組立ライン１００′では、通常、作業者Ｍ（図６参照）による各部品の車体Ｗへの組み付け姿勢を考慮して、伝達通線ゾーンＺ１、一部のインテリアゾーンＺ２１、下廻りゾーンＺ３では車体ＷをオーバーヘッドコンベアＯＨに吊り下げられたハンガーＨ（図６（ｂ）と（ｃ）参照）に載置して搬送し、前記以外のインテリアゾーンＺ２２、エクステリアゾーンＺ４ではフロアコンベアＦＣに支持された搬送台車２０（図６（ａ）参照）の上に載置して搬送される（例えば、特許文献１参照）。
【０００４】
フロントバンパーＢ１およびリアバンパーＢ２（以下、「バンパーＢ」と総称する。）の車体Ｗへの組み付けは、図６に示すように、車体Ｗに対して上下左右より複数のクリップＣＬまたはボルトＢＴにより行われ、車体組立ライン１００′の中流で行われる。
【０００５】
具体的には、バンパーＢの上部の車体Ｗへの組み付けは、図６（ａ）に示すように、車体ＷがフロアコンベアＦＣにより搬送される形態において行われ（図５の１０１′参照）、インストルメントパネル、ルーフライニング等の内装部品の組みつけが行われるインテリアゾーンＺ２２または、ラジエター、ウォッシャータンク等のエンジンルーム内の部品或いは、テールライト等のテールゲートまたはトランク廻りの部品の組み付けが行われるエクステリアゾーンＺ４（図５参照）で実施される。
【０００６】
バンパーＢの側部および下部の車体Ｗへの組み付けは、図６（ｂ）に示すように、車体ＷがオーバーヘッドコンベアＯＨにより搬送される形態において行われ（図５の１０２′参照）、サスペンション、タイヤ等の下廻り部品の組み付けが行われる下廻りゾーンＺ３で実施される。
【０００７】
このように、バンパーＢの組み付けをフロアコンベアＦＣおよびオーバーヘッドコンベアＯＨの２箇所に分けて行うのは、車体ＷがフロアコンベアＦＣにより搬送される形態でバンパーＢを上下左右より車体Ｗに組み付けようとすると、バンパーＢの側部および下部の組み付け時に作業者Ｍに無理な作業姿勢を強いることとなり、また下部組み付け時においてはそもそも組み付けが困難となるからである。
【０００８】
一方、オーバーヘッドコンベアＯＨにより搬送される形態でバンパーＢを上下左右より車体Ｗに組付けようとすると、バンパーＢの上部の組み付け時に作業者Ｍに無理な作業姿勢を強いることとなるか、または組み付けが困難となる不具合が生じるためである。
【先行技術文献】
【特許文献】
【０００９】
【特許文献１】特開平２−３６０３３号公報（図１参照）
【発明の概要】
【発明が解決しようとする課題】
【００１０】
しかしながら、このように車体組立ライン１００′の下廻りゾーンＺ３を中心とした中流でバンパーＢを車体Ｗに組み付けると、他の部品、例えばラジエター、ウォッシャータンク、配線・配管等のエンジンルーム内の部品或いは作業者Ｍの衣服がバンパーＢに接触することが多々発生するという問題があった。
【００１１】
また、バンパーＢは樹脂製であるため、他の部品や作業者Ｍの衣服等が接触すると擦り傷や打痕が付き易く、このような擦り傷や打痕が発生すると、後工程でバンパーＢを取り替える必要があり、工数大となり、コスト高となっていた。
このため、作業者Ｍは衣服等がバンパーＢに接触しないように細心の注意を払いながら他の部品を組み付ける必要があるため、無理な姿勢を強いられるという問題があった。
【００１２】
本発明は、このような背景に鑑みてなされたものであり、作業者が無理な姿勢で組み付け作業をすることを回避して作業性を向上させるとともに、バンパーの擦り傷や打痕を回避して工数削減を図ることができる車体組立ライン、および車体組立ラインにおけるバンパーの組み付け方法を提供することを課題とする。
【課題を解決するための手段】
【００１３】
前記課題を解決するため、請求項１に係る発明は、フロアコンベアに配設された搬送台車で車体を搬送しながらバンパーを組み付ける車体組立ラインにおけるバンパーの組み付け方法であって、前記搬送台車に配設された昇降手段に前記車体を載置して、当該昇降手段により当該車体を異なる複数段の高さに昇降させてそれぞれの段で保持した状態で前記バンパーを当該車体に締結し、前記車体のエンジンルーム内部品の組み付け工程、およびトランクまたはテールゲート廻りの部品組み付け工程よりも下流で前記バンパーを組み付けることを特徴とする。
【００１４】
かかる構成によれば、車体を昇降させて作業者が作業しやすい所定の高さにした状態で前記バンパーを当該車体に締結することで、作業がしやすい高さに車体を保持した状態で作業ができるため、作業者に無理な姿勢を強いることが回避される。このため、円滑な作業を可能とするとともに、バンパーに作業者の衣服等が接触してバンパーに擦り傷をつける事態を回避することができ、工数削減を図ることができる。
【００１５】
また、昇降手段により作業高さを調整することで、バンパーを車体に締結するボルト等の締め付け方向に正対するように車体の高さを調整することが可能となるため、ボルト等の締め付け時に斜め締め付けによるボルトのねじ山上がりやかじり等の締め付け不良の発生を効果的に抑制することができる。
【００１６】
また、本発明に係るバンパーの組み付け方法は、フロアコンベア上で行うことで、前記車体のエンジンルーム内部品の組み付け工程、およびトランクまたはテールゲート廻りの部品組み付け工程よりも下流でバンパーを組み付けることができる。このため、エンジンルーム内部品等の他の部品の組み付け後にバンパーを組み付けるため、他の部品の組み付け時に組み付ける部品や作業者がバンパーに接触することを回避して、バンパーの擦り傷等を防止することができる。
【００１７】
請求項２に係る発明は、請求項１に記載の車体組立ラインにおけるバンパーの組み付け方法であって、前記組立ラインにおけるタイヤ組み付け工程よりも上流でバンパーを組み付けることを特徴とする。
【００１８】
かかる構成によれば、タイヤを組み付ける前にバンパーを組み付けることで、タイヤが組み付け作業の障害とならないので、円滑なバンパーの組み付け作業が可能となる。
【００１９】
請求項３に係る発明は、請求項２に記載の車体組立ラインにおけるバンパーの組み付け方法であって、前記タイヤ組み付け工程は、液注入工程の直前に行うことを特徴とする。
【００２０】
かかる構成によれば、パワーステアリングオイル、ウォッシャー液、ラジエター液を注入する液注入工程の直前のタイヤ組み付け工程の前にバンパーの組み付けを行うことで、他の部品の組み付けを完了してからバンパーを組み付けることが可能となるので、組み付ける部品や作業者の接触を回避してバンパーの擦り傷等を極力回避することができる。
【００２１】
請求項４に係る発明は、請求項１から請求項３のいずれか１項に記載の車体組立ラインにおけるバンパーの組み付け方法であって、前記昇降手段により前記車体を中段の高さに保持した状態で前記バンパーの前面部または後面部に形成された締結箇所を当該車体に締結する工程と、前記昇降手段により前記車体を上段の高さに保持した状態で前記バンパーの下面部に形成された締結箇所を当該車体に締結する工程と、前記昇降手段により前記車体を下段の高さに保持した状態で前記バンパーの上面部に形成された締結箇所を当該車体に締結する工程と、を含むことを特徴とする。
【００２２】
かかる構成によれば、バンパーの前面部に対応する箇所を中段の高さに車体を保持した状態で締結することで、作業者が作業しやすい略胸の高さで作業ができるため、作業者に無理な姿勢を強いることを回避して締め付け不良等をより効果的に抑制することができる。
【００２３】
また、作業者が胸の高さで作業をすることで、例えば、バンパーを車体に締結するボルト等を水平方向に締め付けるような場合には、締め付け方向に正対して作業をすることが容易となるため、ボルト等の締め付け時に斜め締め付けによるボルトのねじ山上がりやかじり等の締め付け不良の発生をより効果的に抑制することができる。
【００２４】
また、バンパーの下面部に対応する箇所を上段の高さに車体を保持した状態で締結することで、作業者が作業しやすい頭上の略直近位置で作業ができる。
このため例えば、バンパーを車体に締結するボルト等を垂直方向の上向きに締め付けるような場合には、締め付け方向に正対して作業をすることが容易となるため、ボルト等の締め付け時に斜め締め付け等による締め付け不良の発生をより効果的に抑制することができる。
【００２５】
また、バンパーの上面部に対応する箇所を下段の高さに車体を保持した状態で締結することで、作業者が作業しやすい略腰の位置で作業ができる。
このため例えば、バンパーを車体に締結するボルト等を垂直方向の下向きに締め付けるような場合には、締め付け方向に正対して作業をすることが容易となるため、ボルト等の締め付け時に斜め締め付け等による締め付け不良の発生をより効果的に抑制することができる。
【００２６】
請求項５に係る発明は、フロアコンベアに配設された搬送台車で車体を搬送しながら複数の部品を組み付けて車体を組み立てる車体組立ラインであって、前記搬送台車に配設され前記車体を載置して所定の高さで支持することが可能な昇降手段と、前記昇降手段により前記車体を異なる複数段の高さに昇降させてそれぞれの段で保持した状態でバンパーを当該車体に締結するバンパーの組み付け工程領域とを有し、前記バンパーの組み付け工程領域は、前記車体のエンジンルーム内部品の組み付け工程領域、およびトランクまたはテールゲート廻りの部品組み付け工程領域よりも下流に配設されていることを特徴とする。
【００２７】
かかる構成によれば、エンジンルーム内部品等の他の部品の組み付け後にバンパーを組み付けるため、他の部品の組み付け時に組み付ける部品や作業者がバンパーに接触することを回避して、バンパーの擦り傷等を防止することができる。
【００２８】
請求項６に係る発明は、請求項５に記載の車体組立ラインであって、前記バンパーの組み付け工程領域は、タイヤ組み付け工程領域よりも上流に配設されていることを特徴とする。
【００２９】
かかる構成によれば、タイヤを組み付ける前にバンパーを組み付けることで、タイヤが組み付け作業の障害とならないので、円滑なバンパーの組み付け作業が可能となる。
【発明の効果】
【００３０】
本発明に係る車体組立ライン、および車体組立ラインにおけるバンパーの取り付け方法は、第１に、作業者が無理な姿勢で組み付け作業をすることを回避して作業性を向上させるとともに、バンパーの擦り傷や打痕を回避して工数削減を図ることができる。
第２に、バンパーを車体に締結するボルト等の締め付け方向に正対するように車体の高さを調整することが可能となるため、斜め締め付けによるボルトのねじ山上がりやかじり等の締め付け不良の発生を効果的に抑制することができる。
【図面の簡単な説明】
【００３１】
【図１】本発明の実施形態に適用される車体組立ラインのレイアウト図である。
【図２】本発明の実施形態に係るバンパーの組み付け方法の手順を示す正面図であり、（ａ）は中段位置、（ｂ）は上段位置、（ｃ）は下段位置での組み付け作業を示す。
【図３】本発明の実施形態に係るバンパーの組み付け方法におけるフロントバンパーと車体との締結箇所を示す斜視図である。
【図４】本発明の実施形態に係るバンパーの組み付け方法におけるリアバンパーと車体との締結箇所を示す斜視図である。
【図５】従来のバンパーの組み付け方法に適用される車体組立ラインのレイアウト図である。
【図６】従来のバンパーの組み付け方法の手順を示す正面図であり、（ａ）はフロアコンベアでの組み付け作業、（ｂ）と（ｃ）はオーバーヘッドコンベアでの組み付け作業を示す。
【発明を実施するための形態】
【００３２】
本発明の実施形態に係る車体組立ライン１０におけるバンパーの組み付け方法について、適宜図１から図４を参照しながら詳細に説明する。
本発明の実施形態に係る車体組立ライン１０は、図１に示すように、伝達通線ゾーンＺ１、インテリアゾーンＺ２、下廻りゾーンＺ３、エクステリアゾーンＺ４、複合検査ゾーンＺ５の順で構成され、すべてのゾーンＺ１〜Ｚ５においてフロアコンベアＦＣ（図２を併せて参照）による搬送形態を採用している。
【００３３】
車体組立ライン１０では、バンパーの組み付け工程領域１１〜１３は、車体Ｗのエンジンルーム内部品の組み付け工程領域、およびトランクまたはテールゲート廻りの部品組み付け工程領域（エンジンルーム内部品等の組み付け工程領域Ｚ４１）よりも下流に配設され、タイヤ組み付け工程領域Ｚ４３よりも上流に配設されている。
【００３４】
フロアコンベアＦＣは、図２に示すように、いわゆるフリクションコンベア方式を採用することが好適であり、フロアに配設され板状に形成された搬送台車２と、この搬送台車２の搬送方向の両側に適宜配設された駆動モータ２１と、この駆動モータ２１の回転軸に支持されたフリクションローラ２２と、を備えている。そして、搬送台車２は、車輪２３を軸支し、この車輪２３が走行レール２４に沿って走行する。
【００３５】
かかる構成により、フロアコンベアＦＣは、フリクションローラ２２を搬送台車２の両側に当接させて回転駆動し、正回転させることで搬送方向に搬送し、逆回転させることで搬送台車２にブレーキを掛けて停止させることができるようになっている。
【００３６】
なお、本実施形態においては、すべてのゾーンＺ１〜Ｚ５（図１参照）においてフロアコンベアＦＣによる搬送形態を採用したが、これに限定されるものではなく、少なくともエクステリアゾーンＺ４の搬送形態としてフロアコンベアＦＣを採用すれば本発明を実施することができる。
【００３７】
図２に示すように、搬送台車２には、昇降自在な昇降装置３が配設されている。
車体Ｗは、昇降装置３の上端に配設された支持部材３１の上に載置されて搬送される。
昇降装置３は、いわゆるクロスリンク機構、チャックチェーン機構、噛み合いチェーン機構、およびカムレール機構のいずれかを採用し、車体Ｗを中段（図２（ａ）参照）、上段（図２（ｂ）参照）、および下段（図２（ｃ）参照）の位置に自在に昇降するように構成する。
【００３８】
車体ＷへのフロントバンパーＢ１およびリアバンパーＢ２（総称して、「バンパーＢ」という。）の組み付けは、図１に示すように、エクステリアゾーンＺ４におけるラジエター、ウォッシャータンク等のエンジンルーム内の部品或いは、テールライト等のテールゲートまたはトランク廻りの部品（エンジンルーム内の部品等）の組み付け工程Ｚ４１後であって、タイヤ組み付け工程Ｚ４３前に行うことが望ましい。
【００３９】
また、より好ましくは、エンジンルーム内の部品等の組み付け工程Ｚ４１後のドア組み付け工程Ｚ４２よりも下流であって、タイヤ組み付け工程Ｚ４３前に行う。ドア組み付け工程Ｚ４２よりも後でバンパーＢを組み付けることで、組み付けるドアや作業者ＭがバンパーＢに接触して擦り傷等をつける事態を確実に回避することができる。
さらに、より好ましくは、ドア組み付け工程Ｚ４２より下流のガソリン、ウォッシャー液、ラジエター液等の液注入工程Ｚ４４の直前のタイヤ組み付け工程Ｚ４３よりも前に行う。
【００４０】
つまり、本発明の実施形態に係る車体組立ライン１０におけるバンパーの組み付け方法は、エクステリアゾーンＺ２において、ブレーキオイル注入工程の後、エンジンルーム内部品、シート、テールゲート部品、ウインドガラス等の組み付けＺ４１を完了してから、ドア組み付け工程Ｚ４２を経た後に、バンパーＢを組み付ける。
そして、バンパーの組み付け工程１１，１２，１３の直後に、タイヤ組み付け工程Ｚ４３および液注入工程Ｚ４４を設けている。
【００４１】
バンパーの組み付け工程１１〜１３は、昇降装置３により、車体Ｗを中段の高さに保持した状態でフロントバンパーＢ１の前面部ＢＦの上部またはリアバンパーＢ２の後面部ＢＲの上部を締結する第１の組み付け工程１１（図２（ａ）参照）と、車体Ｗを上段の高さに保持した状態でバンパーＢの下面部ＢＬを締結する第２の組み付け工程１２（図２（ｂ）参照）と、車体Ｗを下段の高さに保持した状態でバンパーＢの上面部ＢＵを締結する第３の組み付け工程１３（図２（ｃ）参照）とを含み、この工程順でそれぞれの工程を実行する。
【００４２】
かかる工程順でバンパーＢの組み付けを実行することにより、バンパーＢの前面部ＢＦにおける中心部および上部を締結してから周縁部および下部の順に締結することで、バンパーＢを安定して支持するとともに、締結時におけるバンパーＢのゆがみを回避して円滑にバンパーＢを取り付けることができる。また、車体Ｗを上段で支持した状態（図２（ｂ）参照）で下面部ＢＬを締結してから下段で支持した状態（図２（ｃ）参照）で上面部ＢＵを締結することで、バンパーＢの車体Ｗへの組み付けを阻害することなく次工程である下流のタイヤ組み付け工程Ｚ４３に円滑に移行することができる。
【００４３】
＜昇降装置による高さ調整＞
第１の組み付け工程１１では、図２（ａ）に示すように、搬送台車２が第１の組み付け工程１１に到達すると（図１を参照）、昇降装置３を作動させて、昇降装置３の支持部材３１に支持された車体Ｗのサイドシル下端Ｗ１の垂直方向の保持位置を中段の高さである作業者Ｍの作業面２ａから略１１００ｍｍの高さ（腰の高さ）に保持する。
【００４４】
＜バンパーと車体との位置合わせ＞
そして、車体Ｗを腰の高さに保持した状態で、クリップＣＬやボルトＢＴ等の締結具により、車体Ｗの前方の作業者Ｍ１がフロントバンパーＢ１を組み付け、車体Ｗの後方の作業者Ｍ２がリアバンパーＢ２を組み付ける。まず、車体Ｗの前後に配置された各作業者Ｍ１，Ｍ２（以下、「作業者Ｍ」と総称する。）は、それぞれフロントバンパーＢ１およびリアバンパーＢ２を把持してバンパーＢに形成された締結孔を車体Ｗに形成されたクリップＣＬの締結孔またはねじ孔（Ｂ１１〜Ｂ２３）に位置合わせした状態でバンパーＢを車体Ｗに当接させる。
【００４５】
フロントバンパーＢ１にあっては、締結孔Ｂ１１〜Ｂ１５の位置合わせは、図３に示すように、車体Ｗに当接させながら前面部ＢＦの上部に形成された締結孔Ｂ１１，Ｂ１１を車体ＷのアッパークロスメンバーＷ２の前側面に形成されたねじ孔Ｗ２１，Ｗ２１に合わせ、前面部ＢＦの左右の側面に形成された締結孔Ｂ１１，Ｂ１１をそれぞれ車体ＷのフロントフェンダーパネルＷ３に形成された締結孔Ｗ３１，Ｗ３１に合わせ、下面部ＢＬに形成された締結孔Ｂ１３，Ｂ１３，Ｂ１３，Ｂ１３、および締結孔Ｂ１４，Ｂ１４，をそれぞれ車体ＷのロアクロスメンバーＷ４に形成された締結孔Ｗ４１，Ｗ４１，Ｗ４１，Ｗ４１、およびねじ孔Ｗ４２，Ｗ４２に合わせ、上面部ＢＵに形成された締結孔Ｂ１５，Ｂ１５を車体ＷのアッパークロスメンバーＷ２に形成された締結孔Ｗ２２，Ｗ２２にそれぞれ合わせる。
【００４６】
リアバンパーＢ２にあっては、締結孔Ｂ２１〜Ｂ２３の位置合わせは、図４に示すように、車体Ｗに当接させながら後面部ＢＲに形成された締結孔Ｂ２１，Ｂ２１を車体ＷのリアパネルコンポＷ５に形成されたねじ孔Ｗ５１，Ｗ５１に合わせ、後面部ＢＲの側面部に形成された締結孔Ｂ２２を車体ＷのアウタサイドパネルＷ６に形成された締結孔Ｗ６１に合わせ、下面部ＢＬに形成された締結孔Ｗ７１を車体ＷのリアガータコンプＷ７に形成された締結孔Ｗ７１にそれぞれ合わせる。
【００４７】
＜締結具によるバンパーと車体の組み付け＞
第１の組み付け工程１１では、フロントバンパーＢ１にあっては、図３に示すように、ボルトＢＴをフロントバンパーＢ１の前面部ＢＦの上部に形成された締結孔Ｂ１１に通して車体ＷのアッパークロスメンバーＷ２側面に形成されたねじ孔Ｗ２１に螺入する。また、左右の側面部に形成された締結孔Ｂ１２と車体ＷのフロントフェンダーパネルＷ３に形成された締結孔Ｗ３１にボルトＢＴを通してフロントバンパーＢ１を車体Ｗに組み付ける。
【００４８】
リアバンパーＢ２にあっては、図４に示すように、ボルトＢＴをリアバンパーＢ２の後面部ＢＲに形成された締結孔Ｂ２１に通して車体ＷのリアパネルコンポＷ５に形成されたねじ孔Ｗ５１に螺入して組み付ける。また、後面部ＢＲの側面部に形成された締結孔Ｂ２２と車体ＷのアウタサイドパネルＷ６に形成された締結孔Ｗ６１にボルトＢＴを通して車体Ｗに螺入しリアバンパーＢ２を組み付ける。
【００４９】
＜第２の組み付け工程＞
第２の組み付け工程１２では、図２（ｂ）に示すように、搬送台車２が第２の組み付け工程１２に到達すると（図１参照）、昇降装置３を作動させて、昇降装置３の支持部材３１に支持された車体Ｗのサイドシル下端Ｗ１の垂直方向の保持位置を上段の高さである作業者Ｍの作業面２ａから略１７５０ｍｍの高さ（略頭上直近の高さ）に保持する。
【００５０】
フロントバンパーＢ１にあっては、図３に示すように、タッピングスクリューＴＳをフロントバンパーＢ１の下面部ＢＬに形成された締結孔Ｂ１３を通して車体ＷのロアクロスメンバーＷ４に形成された締結孔Ｗ４１に締結し、ボルトＢＴをフロントバンパーＢ１の下面部ＢＬに形成された締結孔Ｂ１４を通して車体ＷのロアクロスメンバーＷ４に形成されたねじ孔Ｗ４１に螺入して組み付ける。
【００５１】
リアバンパーＢ２にあっては、図４に示すように、クリップＣＬをリアバンパーＢ２の下面部ＢＬに形成された締結孔Ｂ２３に通して車体ＷのリアガータコンプＷ７に形成された締結孔Ｗ７１に締結して組み付ける。
【００５２】
＜第３の組み付け工程＞
第３の組み付け工程１３では、図２（ｃ）に示すように、搬送台車２が第３の組み付け工程１３に到達すると（図１参照）、昇降装置３を作動させて、昇降装置３の支持部材３１に支持された車体Ｗのサイドシル下端Ｗ１の垂直方向の保持位置を下段の高さである作業者Ｍの作業面２ａから略２５０ｍｍの高さに保持する。
【００５３】
フロントバンパーＢ１にあっては、図３に示すように、クリップＣＬをフロントバンパーＢ１の上面部ＢＵに形成された締結孔Ｂ１５を通して車体Ｗのアッパークロスメンバーに形成された締結孔Ｗ２２に締結して車体Ｗ組み付ける。
なお、リアバンパーＢ２は、上から下へ向けての締結作業がないので、下段の高さでの締結作業を行わない。
【００５４】
以上のように構成された本発明の実施形態に係る車体組立ライン１０におけるバンパーの組み付け方法は、以下のような作用効果を奏する。
すなわち、図２に示すように、第１の組み付け工程１１においては、作業者Ｍが作業しやすい略胸の高さで作業ができるため、作業者Ｍに無理な姿勢を強いることを回避して締め付け不良等をより効果的に抑制することができる。
【００５５】
また、作業者Ｍが胸の高さで作業をすることで、バンパーＢの前面部ＢＦのように車体Ｗに締結するボルトＢＴ等を水平方向に締め付ける場合には、締め付け方向に正対して作業をすることができる。このため、ボルトＢＴ等の締め付け時に斜め締め付けによるボルトＢＴのねじ山上がりやかじり等の締め付け不良の発生をより効果的に抑制することができる。
【００５６】
第２の組み付け工程１２においては、作業者Ｍが作業しやすい頭上の略直近位置で作業ができるため、バンパーＢの下面部ＢＬのように車体Ｗに締結するボルトＢＴ等を垂直方向の上向きに締め付けるような場合には、締め付け方向に正対して作業をすることができ。このため、ボルトＢＴ等の締め付け不良の発生をより効果的に抑制することができる。
【００５７】
第３の組み付け工程１３においては、作業者Ｍが作業しやすい略腰の位置で作業ができるため、バンパーＢの上面部ＢＵのように車体Ｗに締結するボルトＢＴ等を垂直方向の下向きに締め付けるような場合には、締め付け方向に正対して作業をすることができる。このため、クリップＣＬの圧入不良、ボルトＢＴ等の締め付け不良の発生をより効果的に抑制することができる。
【００５８】
以上、本発明の実施形態について説明したが、本発明は前記した実施形態に限定されず、適宜変更して実施することが可能である。例えば、本実施形態においては、組み付け作業性等を考慮して第１の組み付け工程１１から第３の組み付け工程１３まで中段、上段、および下段の工程順により、バンパーＢの前面部ＢＦまたは後面部ＢＲを締結してから下面部ＢＬおよび上面部ＢＵを締結したが、これらの３工程に限定されるものではなく、バンパーＢの形状、および前工程や後工程との関係により１工程あるいは２工程で組み付けてもよく、工程順を変更して実施することも可能である。
【符号の説明】
【００５９】
２      搬送台車
３      昇降装置
１０    車体組立ライン
１１    第１の組み付け工程（バンパーの組み付け工程領域、中段高さ）
１２    第２の組み付け工程（バンパーの組み付け工程領域、上段高さ）
１３    第３の組み付け工程（バンパーの組み付け工程領域、下段高さ）
Ｂ      バンパー
Ｂ１    フロントバンパー（バンパー）
Ｂ２    リアバンパー（バンパー）
ＢＦ    前面部
ＢＬ    下面部
ＢＵ    上面部
ＦＣ    フロアコンベア
Ｗ      車体
Ｚ２    インテリアゾーン
Ｚ３    下廻りゾーン
Ｚ４    エクステリアゾーン
Ｚ５    複合検査ゾーン
Ｚ４１  エンジンルーム内部品等の組み付け工程（エンジンルーム内部品等の組み付け工程領域）
Ｚ４２  ドア組み付け工程
Ｚ４３  タイヤ組み付け工程（タイヤ組み付け工程領域）
Ｚ４４  液注入工程
【図１】
0005227438.tif 000002
【図２】
0005227438.tif 000003
【図３】
0005227438.tif 000004
【図４】
0005227438.tif 000005
【図５】
0005227438.tif 000006
【図６】
0005227438.tif 000007